(57)【要約】【課題】ユーザが誤って業務環境を壊してしまった場合、業務環境を復元し、さらにユーザの作業データを復元するのに手間がかかるという課題を解決することを目的とする。【解決手段】ユーザモードの場合は管理者により指定される特定の部分をバックアップし、管理者モードの場合はすべてのデータをバックアップするバックアップ装置６と、初期化起動時に管理者の作成したバックアップファイルを読み込んで復元する環境リストア装置８と、ユーザの作成したバックアップファイルを復元するユーザデータリストア装置９を備え、作業環境を復元するためのユーザ負荷を軽減し、業務環境をアップデートするための管理者の工数を削減する。【選択図】図１
2005309563.tif 000002
【特許請求の範囲】
【請求項１】
作成されたデータを格納するデータ格納装置と、バックアップ対象指定装置と、第１の起動モードと第２の起動モードの２つの起動モードをもち、第２の起動モードの場合は、前記データ格納装置に格納されたデータのうち前記バックアップ対象指定装置で指定される特定の部分をユーザバックアップファイルとしてバックアップし、第１の起動モードの場合は、前記データ格納装置に格納されたデータのすべてを環境構築用バックアップファイルとしてバックアップするとともに、構築した環境でユーザがバックアップできるデータの部分を指定する情報を、前記環境構築用バックアップファイルに付与するバックアップ装置と、バックアップファイルを保存するバックアップファイル保存装置と、初期化起動時に前記バックアップファイル保存装置から前記環境構築用バックアップファイルを読み込んで復元し、ユーザがバックアップできるデータの部分を指定する情報を前記バックアップ対象指定装置に格納する環境リストア装置と、ユーザバックアップファイルを提示し、選択されたユーザバックアップファイルを読み込んで復元するユーザデータリストア装置とを備えた携帯情報端末装置。
【請求項２】
第１の起動モードは管理者用パスワードを必要とする管理者モードであり、第２の起動モードは前記管理者用パスワードを必要としないユーザモードであることを特徴とする請求項１記載の携帯情報端末装置。
【発明の詳細な説明】
【技術分野】
【０００１】
本発明は小型ディスプレイ装置とタッチパネルなどの入力装置を備え、情報の管理やネットワーク接続による情報収集などのできる携帯情報端末装置に関するものである。
【背景技術】
【０００２】
従来、小型ディスプレイ装置とタッチパネルなどの入力装置を備え、情報の管理やネットワーク接続による情報収集などのできるＰＤＡ（Ｐｅｒｓｏｎａｌ  Ｄｉｇｉｔａｌ  Ａｓｓｉｓｔａｎｔ）などの携帯情報端末装置は、ノートパソコンなどの携帯情報処理装置と比べ、より携帯性を重視するため、ハードディスク装置のような不揮発ストレージを備えておらず、揮発性のメモリ（ＲＡＭ）に電池から電力が供給されることによりデータが保持されていた。
【０００３】
ハードディスク装置のない携帯情報端末装置では、電池の消耗などによるＲＡＭに保存されるデータの消失を防ぐため、不揮発ストレージへのバックアップ機能が不可欠である。従来の携帯情報端末装置のバックアップ手段としては、ユーザが携帯情報端末を起動したあと、バックアップ用のアプリケーションプログラムを実行し、ＲＡＭに保存されたシステム設定情報やファイルを、携帯情報端末装置内蔵の不揮発性のフラッシュメモリまたは可搬性メモリカードに保存し、データを戻す場合は、同様にバックアップ用のアプリケーションプログラムを実行して、バックアップしたデータの復元操作を行うものがある（例えば特許文献１参照）。
【０００４】
図２は従来の携帯情報端末装置の構成を示すブロック図である。図２において、１１はユーザからの指示や入力を受け付ける入力装置、１２は表示装置である。携帯情報端末装置の場合、入力装置１１はタッチパネル表示装置１２は液晶などの小型ディスプレイ装置が用いられることが多い。１３は入力装置１１からの入力を処理し、表示装置１２への表示を制御する制御装置、１４はユーザの作成したデータを格納するデータ格納装置で、ＲＡＭが使用される。１５はデータ格納装置１４のデータのバックアップファイルを作成するバックアップ装置、１６はバックアップファイルを保存するバックアップファイル保存装置で、携帯情報端末装置内蔵のフラッシュメモリまたは可搬性メモリカードが使用される。１７はユーザにバックアップファイルを提示し、選択されたバックアップファイルを読み込んで復元するリストア装置である。
【０００５】
以上のように構成された従来の携帯情報端末装置において、ユーザが入力装置１１を用いて作成したデータは、制御装置１３によりデータ格納装置１４に保存される。ユーザがデータのバックアップを指示すると、バックアップ装置１５が起動される。バックアップ装置１５は、データ格納装置１４に格納されたデータのすべてをバックアップファイルとしてバックアップファイル保存装置１６に保存する。ユーザがバックアップファイルのリストアを指示すると、リストア装置１７が起動される。リストア装置１７は、バックアップファイル保存装置１６に保存されているバックアップファイルを提示し、ユーザによって選択されたバックアップファイルを読み込んでデータ格納装置１４に復元する。復元されたデータは、制御装置１３によりデータ格納装置１４から読み出され、表示装置１２に表示される。
【特許文献１】特開２００３−３０８２５３号公報
【発明の開示】
【発明が解決しようとする課題】
【０００６】
しかしながら、従来の携帯情報端末におけるバックアップ手段では、企業での運用において携帯情報端末を利用する場合、業務に必要なアプリケーションプログラムのインストールや設定を施した環境で各ユーザが作業を実施するような用途において、ユーザが誤って業務環境を壊してしまった場合、管理者のもつ業務環境のバックアップデータを復元し、さらに手作業で、ユーザデータのコピーや設定をやり直す必要があった。
【課題を解決するための手段】
【０００７】
上記課題を解決するために、本発明の携帯情報端末装置は、作成されたデータを格納するデータ格納装置と、バックアップ対象指定装置と、管理者モードとユーザモードの２つの起動モードをもち、ユーザモードの場合はデータ格納装置のデータのうちバックアップ対象指定装置で指定される特定の部分をユーザバックアップファイルとしてバックアップし、管理者モードの場合はデータ格納装置に格納されたデータのすべてを環境構築用バックアップファイルとしてバックアップするとともに、構築した環境でユーザがバックアップできるデータの部分を指定する情報を環境構築用バックアップファイルに付与するバックアップ装置と、バックアップファイルを保存するバックアップファイル保存装置と、初期化起動時にバックアップファイル保存装置から環境構築用バックアップを読み込んで復元し、ユーザがバックアップできるデータの部分を指定する情報をバックアップ対象指定装置に格納する環境リストア装置と、ユーザバックアップファイルを提示し、選択されたユーザバックアップファイルを読み込んで復元するユーザデータリストア装置を備える。
【発明の効果】
【０００８】
本発明の携帯情報端末装置は、上記構成を有し、初期化起動時に、管理者の作成した業務環境が自動的に復元され、さらに、個々のユーザが作成したデータや設定を容易に復元することができるので、作業環境を復元するためのユーザ負荷が軽減され、また、業務環境をアップデートするための管理者の工数を削減することができる。
【発明を実施するための最良の形態】
【０００９】
以下、本発明の実施の形態を、図面を参照しながら説明する。
【００１０】
（実施の形態１）
図１は本発明の実施の形態１の携帯情報端末装置を示すブロック図である。図において、携帯情報端末装置は、ユーザからの指示や入力を受け付ける入力装置１と、表示装置２と、入力装置１からの入力を処理し、表示装置１への表示を制御する制御装置３と、ユーザの作成したデータを格納するデータ格納装置４と、バックアップ対象指定装置５と、バックアップ対象指定装置５の情報から、データ格納装置４のデータのバックアップファイルを作成するバックアップ装置６と、バックアップファイル保存装置７と、初期化起動時にバックアップファイル保存装置７からバックアップファイルを読み込んで復元する環境リストア装置８およびユーザデータリストア装置９より構成される。
【００１１】
以上のように構成された携帯情報端末装置において、ユーザが入力装置１を用いて作成したデータは、制御装置３によりデータ格納装置４に保存される。ユーザがデータのバックアップを指示すると、バックアップ装置６が起動される。バックアップ装置６は、管理者モードとユーザモードの２つの起動モードをもち、ユーザモードの場合は、データ格納装置４のデータのうちバックアップ対象指定装置５で指定される特定の部分をユーザバックアップファイルとしてバックアップファイル保存装置７に保存する。管理者モードの場合は、データ格納装置４に格納されたデータのすべてを環境構築用バックアップファイルとしてバックアップファイル保存装置７に保存するとともに、構築した環境でユーザがバックアップできるデータの部分を指定する情報を、環境構築用バックアップファイルに付与する。ユーザが携帯情報端末を初期化起動（コールドブート）すると、ユーザの作成したデータはすべて消去されるが、このとき環境リストア装置８が起動される。環境リストア装置８は、バックアップファイル保存装置７に環境構築用バックアップファイルがあれば、これを読み込んでデータ格納装置４に復元する。環境構築用バックアップファイルに付与されているユーザバックアップ部分指定情報は、バックアップ対象指定装置５に通知される。初期起動完了後、ユーザがユーザバックアップファイルのリストアを指示すると、ユーザデータリストア装置９が起動される。ユーザデータリストア装置９は、バックアップファイル保存装置７に保存されているユーザバックアップファイルを提示し、ユーザによって選択されたユーザバックアップファイルを読み込んで復元するデータ格納装置４に復元する。復元されたデータは、制御装置３によりデータ格納装置４から読み出され、表示装置２に表示される。
【００１２】
（実施例１）
本発明のより具体的な実施の形態について説明する。
【００１３】
システム管理者は、管理者用の携帯情報端末を用いて業務に必要なアプリケーションのインストールや、ファイル作成、設定などを行う。管理者の作成した業務環境データは、揮発性のメモリ（ＲＡＭ）から成る管理者用携帯端末のデータ格納装置４に格納される。管理者は、バックアップ装置６に対して管理用パスワードを入力することにより管理者モードで起動し、データ格納装置４に格納されている業務環境データのバックアップファイルを環境構築用バックアップファイルとして作成して、バックアップファイル保存装置７に保存する。管理者は、バックアップファイル作成の際に、エンドユーザのバックアップ対象を、作業フォルダAおよび個人設定情報に対応するレジストリBに制限するよう、バックアップ対象指定情報を付与する。バックアップファイル保存装置７は、保存媒体として、携帯情報端末装置内蔵の不揮発性のフラッシュメモリまたは可搬性メモリカードを使用することができる。管理者は、環境構築用バックアップファイルを可搬性メモリカードに保存し、複製を作成して作業者に配布する。作業者が、作業者用携帯端末のバックアップファイル保存装置７に、配布された環境構築用バックアップファイルを格納した後、作業者用携帯端末を初期化起動すると、環境リストア装置８が起動され、管理者の作成した業務環境データが、データ格納装置４に復元される。同時に、バックアップ対象指定装置５に、作業者のバックアップ対象を指定する情報が格納される。作業者は、構築された業務環境で作業を実施する。このとき、作業により生成されたファイルは作業フォルダAに、作業者の個人設定情報はレジストリBに格納される。作業者は必要に応じて、バックアップ装置６を起動してバックアップファイルを作成する。作業者は、管理者用パスワードを指定しないので、バックアップ装置６はユーザモードで起動され、バックアップ対象指定装置５の情報に基づき、作業フォルダAおよびレジストリBのデータのバックアップファイルが、ユーザバックアップファイルとしてバックアップファイル保存装置７に保存される。
【００１４】
作業者が誤って、業務環境の設定を変更してしまった場合、または必要な業務用ファイルを消去してしまった場合、作業者は、携帯情報端末を再度初期化起動して業務環境を復元した後、ユーザデータリストア装置９を起動する。ユーザデータリストア装置９により、作業者がそれまでにバックアップしたユーザバックアップファイルの一覧が提示されるので、作業者は、適切なバックアップファイルを選択して、作業フォルダAおよびレジストリBのデータを復元する。
【００１５】
作業用アプリケーションのバージョンアップなど、業務用環境をアップデートする必要が生じた場合、管理者は、前述の手順で再度環境構築用バックアップファイルを作成して作業者に再配布する。作業者は前述の手順で新しい環境構築用ファイルを携帯情報端末に復元するとともに、作業データの復元を行う。
【００１６】
なお、携帯情報端末としては、ＰＤＡの他に、携帯型ノートパソコン、電子手帳、携帯電話等が想定される。
【産業上の利用可能性】
【００１７】
本発明にかかる携帯情報端末装置は、初期化起動時に、管理者の作成した業務環境が自動的に復元され、さらに、個々のユーザが作成したデータや設定を容易に復元することができるので、作業環境を復元するためのユーザ負荷が軽減され、また、業務環境をアップデートするための管理者の工数を削減することができるという効果を有し、企業における業務用の携帯情報端末等として有用である。
【図面の簡単な説明】
【００１８】
【図１】本発明の携帯情報端末の構成を示すブロック図
【図２】従来の携帯情報端末の構成を示すブロック図
【符号の説明】
【００１９】
１  入力装置
２  表示装置
３  制御装置
４  データ格納装置
５  バックアップ対象指定装置
６  バックアップ装置
７  バックアップファイル保存装置
８  環境リストア装置
９  ユーザデータリストア装置
１１  入力装置
１２  表示装置
１３  制御装置
１４  データ格納装置
１５  バックアップ装置
１６  バックアップファイル保存装置
１７  ユーザデータリストア装置
【図１】
2005309563.tif 000003
【図２】
2005309563.tif 000004